(57)【要約】【課題】使い勝手のよい携帯電子機器収納部を付設した鞄を提供する。【課題の解決手段】鞄は、鞄本体２の底部の外側にスライドファスナー４を介して携帯電子機器収納部３を連設してなり、この携帯電子機器収納部３の一面には、携帯電子機器の収納、取り出しを行うための上下開閉蓋９，１０を備えた開口１１を設け、開口１１を設けた面に隣接する二面に補強材を設けたものである。【選択図】図２
2016131765.tif 000002
【特許請求の範囲】
【請求項１】
鞄本体の底部の外側に携帯電子機器収納部を付設し、この携帯電子機器収納部の側面の一面には、携帯電子機器の収納、取り出しを行うための開閉蓋を備えた開口を設けたことを特徴とする携帯電子機器収納部を付設した鞄。
【請求項２】
前記鞄本体と前記携帯電子機器収納部は、それぞれにスライドファスナーのテープを縫合して連設してなることを特徴とする前記請求項１記載の携帯電子機器収納部を付設した鞄。
【請求項３】
前記携帯電子機器収納部における開口を設けた面を除く、少なくとも前記開口を設けた面に隣接する二面に、補強材を設けたことを特徴とする前記請求項１または請求項２記載の携帯電子機器収納部を付設した鞄。
【発明の詳細な説明】
【技術分野】
【０００１】
本発明は、携帯電子機器、例えばノートパソコン、携帯プリンタ、タブレット端末など、を収納する収納部を底部に付設した鞄に関する。
【背景技術】
【０００２】
従来からこの種の収納部を設けた鞄は種々知られているが、携帯電子機器の収納、取り出しを容易にするために、鞄本体の後面側に収納部を設けているのが一般的である（特許文献１）。
【先行技術文献】
【特許文献】
【０００３】
【特許文献１】特開平２０１４−１８２５３号公報
【発明の概要】
【発明が解決しようとする課題】
【０００４】
従来の構成によると、書類などの収納量を十分確保するために収納空間を大きくすると、鞄本体のマチが幅広になるが、さらに収納部を後面側に設けることによって、より幅広になるため、使用者が鞄を持ち運び難いとともに、自転車の荷物籠に収容するのが困難な事態を生じる場合もあり、使い勝手が悪いという不都合があった。本発明は、このような不都合を解消して、使い勝手のよい携帯電子機器収納部を付設した鞄を提供することを目的とする。
【課題を解決するための手段】
【０００５】
この目的を達成するため本発明の請求項１に係る携帯電子機器収納部を付設した鞄は、鞄本体の底部の外側に携帯電子機器収納部を付設し、この携帯電子機器収納部の側面の一面には、携帯電子機器の収納、取り出しを行うための開閉蓋を備えた開口を設けたものである。
【０００６】
同じくこの目的を達成するため本発明の請求項２に係る携帯電子機器収納部を付設した鞄は、上記請求項１の構成において、鞄本体と携帯電子機器収納部は、それぞれにスライドファスナーのテープを縫合して連設したものである。
【０００７】
同じくこの目的を達成するため本発明の請求項３に係る携帯電子機器収納部を付設した鞄は、上記請求項１または請求項２の構成において、携帯電子機器収納部における開口を設けた面を除く少なくとも前記開口設置面に隣接する二面に、補強材を設けたものである。
【発明の効果】
【０００８】
本発明の請求項１に係る携帯電子機器収納部を付設した鞄によれば、携帯電子機器収納部を鞄本体の底部に設けたので、鞄本体のマチ部分の幅を維持したまま携帯電子機器収納部を設けることができるとともに、携帯電子機器の収納、取り出しも容易であり、使い勝手がよいという効果を奏する。
【０００９】
また、本発明の請求項２に係る携帯電子機器収納部を付設した鞄によれば、前記請求項１の効果に加えて、鞄本体と携帯電子機器収納部との連設作業をスライドファスナーのテープをそれぞれに縫合することで容易になし得るとともに、スライドファスナーのエレメントが補強材の機能を果たすため耐久性に勝れるという効果を奏する。
【００１０】
また、本発明の請求項３に係る携帯電子機器収納部を付設した鞄によれば、前記請求項１または前記請求項２の効果に加えて、携帯電子機器収納部に収納した携帯電子機器を補強材によって確実に保護できるという効果を奏する。
【図面の簡単な説明】
【００１１】
【図１】本発明の好適な一実施形態を示す全体斜視図。
【図２】同じく鞄本体と携帯電子機器収納部との連設部分を示す縦断面図。
【図３】同じく携帯電子機器収納部の開口部分を示す斜視図。
【図４】同じく携帯電子機器収納部に設けた補強部材を示す斜視図。
【発明を実施するための形態】
【００１２】
以下、本発明の好適な一実施形態について説明する。図１に示すように、鞄１は、ナイロンなどの合成繊維樹製の鞄本体２と、同じくナイロンなどの合成繊維樹製の携帯電子機器収納部３とからなる。図２に示すように、前記携帯電子機器収納部３は、その上端部において、前記鞄本体２の底部２ａに近接する４側面に、スライドファスナー４を介して連設されている。詳細には、図では明らかでないが、スライドファスナー４のエレメント４ａの両側に位置するテープ４ｂ，４ｃのうち、一方のテープ４ｂを前記前記鞄本体２の底部２ａに近接する４側面に逢合し、他方のテープ４ｃを前記携帯電子機器収納部３の上端部４側面に縫合してなるものである。
【００１３】
なお、本実施形態においては、スライドファスナー４はスライダーを備えておらず、エレメント４ａは常に閉鎖状態にあって、鞄本体２と携帯電子機器収納部３とを分離することはできない構成となっている。したがって、前記スライドファスナー４を布材等で被覆、隠蔽してもよい。しかし、このスライドファスナー４は、一般的なスライドファスナーのように、スライダー（図示せず）を備えて開閉可能とすることにより、スライドファスナー４を全長にわたって開いた時には鞄本体２と携帯電子機器収納部３とを分離可能とする一方、再度閉じることによって連設可能にするよう構成することもできる。
【００１４】
図２に示すように、鞄本体２の内部空間は、仕切り壁５によって二分され、それぞれの空間に書類などを収容するもので、各内部空間に対応して、前記鞄本体２には開閉用のスライドファスナー６，７を設けている。また、前記携帯電子機器収納部３には、その一対の対向する側面から底面にかけて、合成樹脂製の一対の保護板８を設けている。この保護板８によって、携帯電子機器収納部３の底面の両端部と、これら端部に隣接する側面が保護され、この部分が他の物に接触して摩滅したり、あるいは破損して、前記電子機器収納部３が損傷されるのを防止する。
【００１５】
図３に示すように、携帯電子機器収納部３の保護板８で覆われていない側面の一方には、携帯電子機器（図示せず）の収納、取り出しを行うための、上開閉蓋９及び下開閉蓋１０で開閉される開口１１を設けている。前記携帯電子機器収納部３における前記開口１１の左右両側には、面ファスナー１２ａ，１３ａを設け、前記下開閉蓋１０の内側両側部には、これら面ファスナー１２ａ，１３ａとそれぞれ雌雄一対をなす面ファスナー１２ｂ，１３ｂを設けている。また、前記下開閉蓋１０の外側上部には面ファスナー１４ａを設け、前記上開閉蓋９の内側下部には、この面ファスナー１４ａと雌雄一対をなす面ファスナー１４ｂを設けている。
【００１６】
図４に示すように、仮想線で示す携帯電子機器収納部３の開口１１を設けていない一対の側面には、補強材１５ａ，１５ｂを設けている。これら補強材１５ａ，１５ｂによって、前記携帯電子機器収納部３がその形状を維持するとともに、内部に収納した携帯電子機器（図示せず）を保護するものである。これらの補強材１５ａ，１５ｂは、前記一対の側面を袋状に形成してその内部に配設してもよいし、前記一対の側面の内側に露出状態で配設してもよい。
【００１７】
なお、図１において、１６ａ，１６ｂは一対の把持部、１７は図示していない肩掛けベルトの両端部に設けた係合金具を係脱可能に係合するための取り付け環であり、この取り付け環１７は鞄本体２の反対側にも設けられている。肩掛けベルトを鞄本体２に装着すると、使用者は、前記把持部１６ａ，１６ｂを手で把持して鞄１を持ち運ぶほか、肩掛けベルトを肩に掛けて鞄１を持ち運ぶことができる。
【００１８】
本実施形態は以上のように構成したので、図３に示すように上開閉蓋９と下開閉蓋１０を開いた状態で、携帯電子機器を開口１１から携帯電子機器収納部３内に収納し、各一対の面ファスナー１２ａ，１２ｂ及び１３ａ，１３ｂを密接係止させて、下開閉蓋１０で開口１１を閉鎖し、次いで、上開閉蓋９の面ファスナー１４ｂを下開閉蓋１０の面ファスナー１４ａと密接係止させるように前記上開閉蓋９を閉じて、携帯電子機器を前記携帯電子機器収納部３内に収納保護することができる。そして、この状態で携帯電子機器を鞄本体２とともに持ち運ぶことができる。
【００１９】
一方、上述の状態で、面ファスナー１４ａ，１４ｂの係止状態を解除するように上開閉蓋９を開き、次いで、各一対の面ファスナー１２ａ，１２ｂ及び１３ａ，１３ｂの係止状態を解除するように下開閉蓋１０を開いて（図３参照）、開口１１から収納していた携帯電子機器を取り出して、これを使用することができる。
【００２０】
なお、本発明は、上述した各実施形態に限定されるものではなく、例えば、鞄本体２と携帯電子機器収納部３の連設は、スライドファスナー４を用いて行うほか、帯状の合成繊維材を用いて行うなど、適宜変更可能である。また、上下開閉蓋９，１０のいずれか一方のみで開口１１を開閉するよう構成してもよいほか、面ファスナー１２ａ，１２ｂ，１３ａ，１３ｂ，１４ａ，１４ｂに換えて、ホックなどを用いることもできる。さらに、補強材１５ａ，１５ｂは、開口１１を設けた面を除く３側面に設けてもよい。さらにまた、鞄本体２の内部空間を二分する仕切り壁５は必ずしも設ける必要はない。
【符号の説明】
【００２１】
１      鞄
２      鞄本体
２ａ      底面
３      携帯電子機器収納部
４      スライドファスナー
４ａ      エレメント
４ｂ，４ｃ      テープ
５      仕切り壁
６，７      スライドファスナー
８      保護板
９      上開閉蓋
１０      下開閉蓋
１１      開口
１２ａ，１２ｂ，１３ａ，１３ｂ，１４ａ，１４ｂ      面ファスナー
１５ａ，１５ｂ      補強材
【図１】
2016131765.tif 000003
【図２】
2016131765.tif 000004
【図３】
2016131765.tif 000005
【図４】
2016131765.tif 000006